(57)【要約】【課題】部品点数を少なくして簡単な構造としてコスト低減を図ることが可能なレバースイッチを提供する。【解決手段】操作部材４は、台座２の円弧状のガイド面１０に沿って回動し、操作部材４の作動部２０Ａの作動面２０１Ａがプリント配線基板１上のプッシュ型スイッチ１Ａを押圧し、プッシュ型スイッチ１ＡをＯＮ状態に作動させる。この場合に、付勢部材１２は、操作部材４の摺動部１９の摺設面１８が付勢部材１２の下方側の上端と当接して下方側が圧縮され、付勢部材１２の上方側が伸張するので、操作部３の下方への押し下げ力を解除（指を離す）と操作部材４は、付勢部材１２によって、上方に移動し、図６および図７に示すような中立の位置に自動的に復帰され、プッシュ型スイッチ１ＡはＯＦＦとなって作動が停止される。【選択図】図９
2008198495.tif 000002
【特許請求の範囲】
【請求項１】
プッシュ型スイッチを備えたスイッチシートを支持した台座と、該台座によって揺動自在に支持され且つ操作部を有した操作部材と、を備え、
前記台座は、上下方向に並行して延びると共に横方向に離間配置された円弧状ガイド面を有する一対のガイド部、両ガイド部間に配置されて付勢部材を支持する支持部、及び該支持部の上下方向両側に夫々配置され且つ前記プッシュ型スイッチを内部に位置させる開口部を有し、
前記操作部材は、前記台座の各ガイド面に沿って夫々摺接する円弧状の摺接面を有した一対の摺動部と、両摺動部間に上下位置関係で配置されて内方へ突出した作動部と、を有し、
前記操作部材の作動部は、該操作部材を下方に回動させたときに、該下方の作動部が下方のプッシュ型スイッチを押圧して作動させ、該操作部材を上方に回動させたときに該上方の作動部が上方のプッシュ型スイッチを押圧して作動させ、
前記付勢部材は、前記台座の支持部に配設されて前記操作部材を前記台座に対して離間する方向に押圧し、当該操作部材に対する回動力を解除したとき、当該操作部材は、前記付勢部材によって中立の位置に自動的に復元するように作動することを特徴とするレバースイッチ。
【請求項２】
請求項１記載のレバースイッチにおいて、
前記操作部材の各作動部のプッシュ型スイッチを押圧する作動面が当該プッシュ型スイッチ押圧するときに、当該プッシュ型スイッチの作動部と平行面となるような傾斜面とされていることを特徴とするレバースイッチ。
【請求項３】
請求項１又は２記載のレバースイッチにおいて、
前記台座の端部に受部を形成し、当該受部によって、前記操作部の一部を被覆するカバーを支持することを特徴とするレバースイッチ。
【請求項４】
請求項１乃至３のいずれか１項記載のレバースイッチにおいて、
前記台座の両ガイド部にそれぞれ側方に突出する突起部を形成し、前記操作部材に、当該突起部が嵌入する嵌入溝部を形成し、当該嵌入溝部内に前記突起部を嵌入させることによって、前記台座と操作部材を連結したことを特徴とするレバースイッチ。
【発明の詳細な説明】
【技術分野】
【０００１】
本発明は、左右方向あるいは上下方向等の２方向に操作して作動させるレバースイッチに関する。
【背景技術】
【０００２】
従来、デジタルカメラのズーム操作キーやアップダウン設定時の操作キー等の様々なメカニズムの動作検出等に用いられる検出用のレバースイッチとしては、弾性金属薄板製の可動接点と固定接点とを組み合わせたレバースイッチが広く知られている。
このようなレバースイッチは、板状の可動接点を左右方向に撓ませて左右の固定接点と接触させているために、可動接点の許容応力を十分なものとするために、可動接点に所要の長さが必要となって、スイッチ全体の小型化を図ることが困難になる。しかも、レバーが所定のストロークだけ回動した後に、固定接点も撓み、可動接点との安定した接触圧力が得られる構成となっているために、レバーが操作途中の状態では、接点の接触が不安定になり易いという問題があった。
このような問題を解決するために、ケースの内底面中央に共通接点、対向する両内側壁に固定接点を各々植設し、この共通接点に略Ｍ字状の弾性金属製の可動接点の中間部を常時弾設させると共に、中間部両端から左右に延出した第一のアーム部先端に設けられた折返部を介して形成された第二のアーム部先端の接点部をケース内側壁に各々弾設させ、レバーの回動によって摺動体がケースの内底面を摺動し、両端の押圧部が可動接点の接点部を固定接点に接離させるようにしたレバースイッチが提案されている。（例えば、特許文献１参照）
【特許文献１】特開２００３−１３２７６５号公報
【発明の開示】
【発明が解決しようとする課題】
【０００３】
しかしながら、特許文献１記載のものでは、レバーと別体の摺動体を使用してレバーの回動によって摺動体を移動させて、両端の押圧部が可動接点の接点部を固定接点に接離させるようにしているため、部品点数が多くなり構造が複雑となるだけでなく、コストが上昇するという問題がある。
本発明は、上記実情を考慮してなされたものであり、部品点数を少なくして簡単な構造としてコスト低減を図ることが可能なレバースイッチを提供することを目的とする。
【課題を解決するための手段】
【０００４】
上記課題を解決するために、請求項１に記載の発明は、プッシュ型スイッチを備えたスイッチシートを支持した台座と、該台座によって揺動自在に支持され且つ操作部を有した操作部材と、を備え、前記台座は、上下方向に並行して延びると共に横方向に離間配置された円弧状ガイド面を有する一対のガイド部、両ガイド部間に配置されて付勢部材を支持する支持部、及び該支持部の上下方向両側に夫々配置され且つ前記プッシュ型スイッチを内部に位置させる開口部を有し、前記操作部材は、前記台座の各ガイド面に沿って夫々摺接する円弧状の摺接面を有した一対の摺動部と、両摺動部間に上下位置関係で配置されて内方へ突出した作動部と、を有し、前記操作部材の作動部は、該操作部材を下方に回動させたときに、該下方の作動部が下方のプッシュ型スイッチを押圧して作動させ、該操作部材を上方に回動させたときに該上方の作動部が上方のプッシュ型スイッチを押圧して作動させ、前記付勢部材は、前記台座の支持部に配設されて前記操作部材を前記台座に対して離間する方向に押圧し、当該操作部材に対する回動力を解除したとき、当該操作部材は、前記付勢部材によって中立の位置に自動的に復元するように作動することを特徴とする。
【０００５】
また、請求項２の発明は、請求項１記載のレバースイッチにおいて、前記操作部材の各作動部のプッシュ型スイッチを押圧する作動面が当該プッシュ型スイッチ押圧するときに、当該プッシュ型スイッチの作動部と平行面となるような傾斜面とされていることを特徴とする。
また、請求項３の発明は、請求項１又は２記載のレバースイッチにおいて、前記台座の端部に受部を形成し、当該受部によって、前記操作部の一部を被覆するカバーを支持することを特徴とする。
また、請求項４の発明は、請求項１乃至３のいずれか１項記載のレバースイッチにおいて、前記台座の両ガイド部にそれぞれ側方に突出する突起部を形成し、前記操作部材に、当該突起部が嵌入する嵌入溝部を形成し、当該嵌入溝部内に前記突起部を嵌入させることによって、前記台座と操作部材を連結したことを特徴とする。
【発明の効果】
【０００６】
本発明によれば、上記構成を採用することによって、部品点数を少なくして簡単な構造としてコスト低減を図ることが可能なレバースイッチを提供することができる。
【発明を実施するための最良の形態】
【０００７】
以下、図面を参照して、本発明の実施形態を詳細に説明する。
図１は、本発明による一実施形態のレバースイッチを正面側から見た斜視図、図２は、図１のレバースイッチを側方から見た斜視図、図３は、図１のレバースイッチを背面側から見た斜視図である。
本実施形態に係るレバースイッチは、図７の断面図に示すように上面に押圧状態で電気的接続がＯＮとなり、非押圧状態でＯＦＦとなるプッシュ型スイッチ１Ａ、及び１Ｂが内蔵されたスイッチシート１００が積層されたプリント配線基板１上に取り付けられるプラスチック製の台座２と、外面に指等で矢印Ａ方向及び矢印Ｂ方向に操作する操作部３を有するプラスチック製の操作部材４とを備えている。プリント配線基板１は、その切り欠き部９と台座２の底面から突出した取り付けボス５とによって位置決めされ、レバースイッチが取り付けられる図示しない電子機器等の取り付け面と台座２とによって挟持されるようになっている。また、操作部材４は、後述する台座２の左右のガイド部からそれぞれ側方に突出したピン状の突起部６を操作部材４の側片７に形成された円弧状の長孔８内に嵌入させることによって台座２に回動自在に連結されている。
【０００８】
図４及び図５は、本実施形態に係るレバースイッチを左右両方向から見た分解斜視図であり、台座２には、上端部１４から下端部１５にかけて並行して延びる円弧状のガイド面１０を有する１対のガイド部１１を有しており、これらのガイド部１１間を連結する中央部１６には、コイルバネからなる付勢部材１２を嵌入させて支持する支持部１３が植立されている。また台座２の底面には、中央部１６を挟んで両側に開口部１７Ａ及び１７Ｂが形成され、この開口部１７Ａ及び１７Ｂ内に、プリント配線基板１の上面上部と下部に形成されたプッシュ型スイッチ１Ａ及び１Ｂが配設されるように位置決めされている。
【０００９】
操作部材４の内面には、台座２のそれぞれのガイド面１０に当接してこれらのガイド面１０に沿って摺接する円弧状の摺接面１８を有する摺動部１９が形成されており、さらに、その上下端部にはそれぞれ内方に突出する作動部２０Ａ及び２０Ｂが形成されている。また、作動部２０Ａと２０Ｂとの間には、付勢部材１２を収納可能な空間２１が形成されており、前述のように、突起部６と長孔８の嵌合によって操作部材４を台座２に連結した際に、この空間２１内に台座２の支持部１３で支持された付勢部材１２が操作部材４の内面を上方に押圧しながら収納されるようになっている。
また、前述のように、操作部材４を台座２に連結した際には、図６及び図７に示すように、台座２の開口部１７Ａ及び１７Ｂ内にそれぞれ操作部材４の作動部２０Ａ及び２０Ｂが配設されるようになっている。これらの作動部２０Ａ及び２０Ｂの作動面（傾斜面）２０１Ａ及び２０１Ｂは、付勢部材１２によって上方に押し上げられてプリント配線基板１のプッシュ型スイッチ１Ａ及び１Ｂから離隔され、プッシュ型スイッチ１Ａ及び１Ｂは、共に非押圧状態となって作動はされない（中立の位置）。
【００１０】
一方、指で操作部材４の操作部３を押し下げると、図８及び図９に示すように、操作部材４は、台座２の円弧状のガイド面１０に沿って回動し、操作部材４の作動部２０Ａの作動面２０１Ａがプリント配線基板１のプッシュ型スイッチ１Ａを押圧し、プッシュ型スイッチ１ＡをＯＮ状態に作動させる。この場合に、付勢部材１２は、図９に示すように、操作部材４の摺動部１９の摺設面１８が付勢部材１２の下方側の上端と当接して下方側が圧縮され、付勢部材１２の上方側が伸張するので、操作部３の下方への押し下げ力を解除（指を離す）すると操作部材４は付勢部材１２によって上方に移動し、図６および図７に示すような中立の位置に自動的に復帰され、プッシュ型スイッチ１ＡはＯＦＦとなって作動が停止される。
【００１１】
他方、指で操作部材４の操作部３を押し上げると、図１０及び図１１に示すように、操作部材４は、台座２の円弧状のガイド面１０に沿って回動し、操作部材４の作動部２０Ｂの作動面２０１Ｂがプリント配線基板１のプッシュ型スイッチ１Ｂを押圧し、プッシュ型スイッチ１ＢをＯＮ状態に作動させる。この場合に、付勢部材１２は、図１１に示すように、操作部材４の摺動部１９の摺設面１８が付勢部材１２の上方側の上端と当接して上方側が圧縮され、付勢部材１２の下方側が伸張するので、操作部３の上方への押し上げ力を解除（指を離す）すると操作部材４は、付勢部材１２によって、下方に移動し、図６および図７に示すような中立の位置に自動的に復帰され、プッシュ型スイッチ１ＢはＯＦＦとなって作動が停止される。
【００１２】
このように、操作部３を指で操作して操作部材４を上方または下方に回動させ、作動部２０Ａの作動面２０１Ａまたは２０Ｂの作動面２０１Ｂでプッシュ型スイッチ１Ａまたは１Ｂを押圧してプッシュ型スイッチ１Ａまたは１ＢをＯＮ状態に作動させることができる。この場合、操作部材４の押し下げ動作または押し上げ動作を維持している限り、プッシュ型スイッチ１Ａまたは１ＢのＯＮ状態が維持されることになる。一方、操作部材４から指を離すだけで直ちに、中立位置に自動復帰し、プッシュ型スイッチ１Ａまたは１Ｂの作動が停止され、再び操作部材４を上下方向に操作することによって、プッシュ型スイッチ１Ａまたは１Ｂのどちらかを直ちに作動させることが可能となる。このような作用は、デジタルカメラのズーム操作キー等のように、スイッチがＯＮ状態に維持される限りズーム操作が継続され、スイッチをＯＦＦとすると直ちにズーム操作が停止されるようなスイッチにおいては有用なものとなる。
【００１３】
この場合に、作動部２０Ａの作動面２０１Ａ及び２０Ｂの作動面２０１Ｂは、これらの作動面２０１Ａ及び２０１Ｂがプッシュ型スイッチ１Ａ及び１Ｂを押圧する際に、プッシュ型スイッチ１Ａ及び１Ｂの作動部と平行となるように（図９及び図１１参照）、中位の位置においては傾斜面になっている（図７参照）。プッシュ型スイッチ１Ａ及び１Ｂを斜方から押圧するとプッシュ型スイッチの寿命を短縮させてしまうが、このような作動面２０１Ａ及び２０１Ｂを傾斜面とし、これらの作動面２０１Ａ、２０１Ｂがスイッチ１Ａ、１Ｂを押圧する際に、スイッチに対して平行面となるように形成した場合には、プッシュ型スイッチの短縮化を抑制し、長寿命化を図ることができるので好ましい。
【００１４】
また、本実施形態においては、図１２に示すように、防塵等の観点等から操作部材４の操作部３の操作範囲内の透孔２２Ａを有するプラスチック製等のカバー２２で操作部材４の一部及び台座２を被覆している。この場合、台座２の上下端部及び側端部に受部２３を形成してカバー２２によって操作部材４の操作性を損なわないようにしている。仮に操作部材４の周囲のカバー２２が押圧されて操作部材４の回動が妨げられ、操作性が損なわれる場合があるが、図１３に示すように、台座２のガイド部１１の側方に操作部材４の上面より高い突出部からなる受部２３を形成したときには、上記操作部材４の操作性の低下を抑制することが可能となるので好ましい。
さらに、本実施形態においては、操作部材４は、後述する台座２の左右のガイド部からそれぞれ側方に突出したピン状の突起部６を操作部材４の側片７に形成された円弧状の長孔８内に嵌入させることによって台座２に回動自在に連結されているので、操作部材４と台座２との組み付けが容易であると共に、操作部材４を組み付けた台座を安定してプッシュ型スイッチ１Ａ及び１Ｂ上に位置決め、載置することが可能となりこれらの三者の組み付けを容易かつ確実に行うことができる。
【００１５】
以上のように、本実施形態においては、摺動部１９と操作部３を一体にした操作部材４を使用して、上下方向への操作部材４の操作によって複数のプッシュ型スイッチをそれぞれ作動させることが可能となるので、部品点数が少なく、簡単な構造で安価なレバースイッチを提供することが可能となる。
【図面の簡単な説明】
【００１６】
【図１】本発明による一実施形態のレバースイッチの斜視図である。
【図２】図１の側面から見た斜視図である。
【図３】図１の背面から見た斜視図である。
【図４】本発明による一実施形態のレバースイッチの分解斜視図である。
【図５】図４の反対側から見た分解斜視図である。
【図６】本発明による一実施形態のレバースイッチの中立位置の状態を示す平面図である。
【図７】図６のＡ−Ａ線上で切断した断面図である。
【図８】本発明による一実施形態のレバースイッチの押し下げ位置の状態を示す平面図である。
【図９】図８のＢ−Ｂ線上で切断した断面図である。
【図１０】本発明による一実施形態のレバースイッチの押し上げ位置の状態を示す平面図である。
【図１１】図１０のＣ−Ｃ線上で切断した断面図である。
【図１２】本発明による一実施形態のレバースイッチをカバーで被覆した状態を示す断面図である。
【図１３】本発明による一実施形態のレバースイッチの受部を説明するための斜視図である。
【符号の説明】
【００１７】
１  プリント配線基板、１Ａ、１Ｂ  プッシュ型スイッチ、２  台座、３  操作部、４  操作部材、６  突起部、８  長孔、１０  ガイド面、１１  ガイド部、１２  付勢部材、１３  支持部、１６  中央部、１７  開口部、１９  摺動部、２０Ａ、２０Ｂ  作動部、２０１Ａ、２０１Ｂ  作動面、２２  カバー、２３  受部
【図１】
2008198495.tif 000003
【図２】
2008198495.tif 000004
【図３】
2008198495.tif 000005
【図４】
2008198495.tif 000006
【図５】
2008198495.tif 000007
【図６】
2008198495.tif 000008
【図７】
2008198495.tif 000009
【図８】
2008198495.tif 000010
【図９】
2008198495.tif 000011
【図１０】
2008198495.tif 000012
【図１１】
2008198495.tif 000013
【図１２】
2008198495.tif 000014
【図１３】
2008198495.tif 000015